(57)【特許請求の範囲】
【請求項１】
エレベータの昇降路に設けたガイドレールと摺動して乗りかごの昇降を案内するガイドシューであって、
ガイドレールと摺動するシューの外周面に防振ゴムを一体に成形したシュー組立体と、
このシュー組立体をガイドレールが延びる方向に挿抜自在に収納する収納凹部を有した、乗りかごに固定されるハウジングと、
このハウジングの前記収納凹部内に前記シュー組立体をガイドレールが延びる方向に変位不能に固定する、前記ハウジングに着脱自在に取り付けられる固定手段と、
を備え、
前記ハウジングは、樹脂材料から一体に成形され、
前記防振ゴムの背面に凸設されて上下方向に延びる凸部と、前記収納凹部の内壁面に凹設されて上下方向に延びる凹部とが互いに嵌合し、前記防振ゴムの左右方向の過剰な変形を規制するように構成されていることを特徴とするエレベーのガイドシュー。
【請求項２】
前記シュー組立体は、低摩擦材を含有させた樹脂材料からその水平断面がコ字形となるように射出成形した前記シューの外周面に、発泡ウレタンゴムをその水平断面がコ字形となるように前記シューの外周面に焼き付け成形したものである
ことを特徴とする請求項１に記載したエレベータのガイドシュー。
【発明の詳細な説明】
【０００１】
【発明の属する技術分野】
本発明は、エレベータの昇降路に設けたガイドレールと摺動して乗りかごの昇降を案内するエレベータのガイドシューに関し、より詳しくは、摩耗したシューの交換を容易かつ安価に行えるように改良されたガイドシューに関する。
【０００２】
【従来の技術】
従来、エレベータの昇降路には上下方向に延びるガイドレールが設けられるとともに、乗りかごにはガイドシューが設けられ、ガイドレールにガイドシューが係合して摺動することにより乗りかごの昇降を案内するようになっている。
【０００３】
このようなエレベータの昇降案内構造を図５を参照して概説すると、エレベータの昇降路１には、上下方向（図示する紙面に垂直な方向）に延びるガイドレール２が設けられている。
一方、エレベータの乗りかご３には、ガイドシュー４が設けられている。
【０００４】
ガイドシュー４は、厚い鋼鈑をプレス成形したブラケット５のコ字形断面部分６と、ガイドレール２の摺動部２ａに外嵌して摺動するシュー７との間に、クロロプレンゴム（ＣＲ）やアクリロニトリルブタジエンゴム（ＮＢＲ）製の防振ゴム８を一体に成形して加硫接着したもので、ボルト９によって乗りかご３に固定される。
【０００５】
これにより、シュー７がガイドレール２と摺動しつつ、防振ゴム８が振動の発生を防止するので、乗りかご３はガイドレール２に沿って滑らかに昇降することができる。
【０００６】
【発明が解決しようとする課題】
ところで、このようなエレベータのガイドシュー４においては、ガイドレール２との摺動によってシュー７が次第に摩耗するため、シュー７を定期的に交換する必要がある。
【０００７】
しかしながら、上述した従来のガイドシュー４においては、シュー７が防振ゴム８を介してブラケット５と一体に成形されているため、シュー７を交換するためにはガイドシュー４の全体を交換しなければならない。
【０００８】
これにより、シュー７の交換に要する費用がかさんでしまう。
また、ガイドシュー４をそっくり乗りかご３から取り外すため、乗りかご３が傾くことになり、ガイドシュー４の交換作業が容易ではない。
【０００９】
そこで、本発明の目的は、上述した従来技術が有する問題点を解消し、摩耗したシューの交換を容易かつ安価に行えるエレベータのガイドシューを提供することにある。
【００１０】
【課題を解決するための手段】
上記課題を解決する請求項１に記載した本発明は、
エレベータの昇降路に設けたガイドレールと摺動して乗りかごの昇降を案内するガイドシューであって、
ガイドレールと摺動するシューの外周面に防振ゴムを一体に成形したシュー組立体と、
このシュー組立体をガイドレールが延びる方向に挿抜自在に収納する収納凹部を有した、乗りかごに固定されるハウジングと、
このハウジングの前記収納凹部内に前記シュー組立体をガイドレールが延びる方向に変位不能に固定する、前記ハウジングに着脱自在に取り付けられる固定手段と、を備える。
そして、前記ハウジングは、樹脂材料から一体に成形される。
また、前記防振ゴムの背面に凸設されて上下方向に延びる凸部と、前記収納凹部の内壁面に凹設されて上下方向に延びる凹部とが互いに嵌合し、前記防振ゴムの左右方向の過剰な変形を規制するように構成される。
なお、前記シュー組立体は、低摩擦材を含有させた樹脂材料からその水平断面がコ字形となるように射出成形した前記シューの外周面に、発泡ウレタンゴムをその水平断面がコ字形となるように前記シューの外周面に焼き付け成形したものとすることができる。
【００１１】
すなわち、本発明のエレベータのガイドシューにおいては、シューが摩耗したときにはシューと防振ゴムとが一体となったシュー組立体のみを交換すれば良く、ハウジングの交換は不要であるから、シュー交換を安価に行うことができる。
【００１２】
また、古いシュー組立体をハウジングから取り除く際には、固定手段をハウジングから外した後に、シュー組立体をガイドレールが延びる方向に変位させれば良く、ハウジングを乗りかごから外す必要はない。
同様に、新しいシュー組立体をハウジングに組み付ける際には、新しいシュー組立体をガイドレールに係合させた状態で摺動させ、ハウジング側に変位させて収納した後、固定手段をハウジングに組み付けてシューを固定すれば良い。
したがって、本発明のエレベータのガイドシューによれば、シューを交換する作業を容易に行うことができる。
【００１３】
好ましくは、ハウジングを樹脂材料から一体に成形するときに、ハウジングに、シュー組立体をハウジングから取り除いたことに伴って乗りかごが傾斜したときにガイドレールに当接し、乗りかごの傾斜を抑制する当接部を一体に設ける。
これにより、ハウジングからシュー組立体を取り除いたことによって乗りかごが傾いても、ハウジングに設けた当接部がガイドレールに当接して乗りかごの傾きを最小限に抑えるから、シューを交換する作業をより一層容易に行うことができる。
【００１４】
さらに好ましくは、シュー組立体の防振ゴムをハウジングの収納凹部内に圧入する。これにより、防振ゴムの防振効果をより一層高めることができる。
このとき、防振ゴムの収納凹部内に挿入する側の端部に収納凹部内への防振ゴムの圧入を案内する案内部を設ければ、シュー組立体の防振ゴムをハウジング内に圧入する作業が容易となるので、シューを交換する作業をより一層容易に行うことができる。
【００１５】
【発明の実施の形態】
以下、本発明に係るエレベータのガイドシューの一実施形態を、図１乃至図４参照して詳細に説明する。
ここで、図１は本発明に係る一実施形態のエレベータのガイドシューを分解した状態で示す全体斜視図、図２は図１に示したガイドシューを組み立てた状態で示す全体斜視図、図３は図２に示したガイドシューの正面図、図４は図３中に示したIV−IV破断線に沿った水平断面図である。
なお、以下の説明においては、エレベータの乗りかごの昇降方向を上下方向と呼ぶとともに、ガイドレールから乗りかごに向かう方向を前後方向と呼ぶ。
【００１６】
図１に示したように、本実施形態のエレベータのガイドシュー１０は、エレベータの乗りかごに固定されるハウジング１１と、このハウジング１１の内部に収納されるシュー組立体１２、およびこのシュー組立体１２をハウジング１１内に固定する固定手段としてのプレート１３およびボルト１４を備えている。
【００１７】
前記ハウジング１１は、ガラス繊維入りの樹脂材料から一体に射出成形されたもので、その中央部には前記シュー組立体１２を収納する収納凹部１５が凹設されている。
前記収納凹部１５の３つの内壁面の下部には、図示されないガイドレールに向かって延びるフランジ（保持部）１６が垂設されている。
そして、このフランジ１６の内側空間であるガイドレール挿通部１７に、図示されないガイドレールが挿通される。
また、乗りかご３に密着する後壁１８には、このハウジング１１を乗りかご３に固定するボルト３１を挿通する、合計４個のボルト孔１９が貫設されている。また、このハウジング１１の上部には、前記プレート１３を受容する平坦な凹部であるプレート装着部２０が凹設されるとともに、前記ボルト１４が螺合する雌ねじが螺設されたねじ孔２１が形成されている。
さらに、収納凹部１５の正面の内壁面には上下方向に延びる凹溝２２が凹設されている。
【００１８】
前記シュー組立体１２は、ガイドレール２の摺動部２ａに外嵌して摺動するシュー２３の外周面に、防振ゴム２４を一体に成形したものである。
【００１９】
前記シュー２３は、二硫化モリブデン等の低摩擦材を含有させた樹脂材料から、その水平断面が略コ字形となるように射出成形したものである。
そして、その上下両端部には、前記プレート１３に密着する上面２３ａおよびハウジング１１の前記フランジ１６に密着する下面２３ｂがそれぞれ形成されている。
【００２０】
前記防振ゴム２４は、従来用いられているクロロプレンゴム（ＣＲ）やアクリロニトリルブタジエンゴム（ＮＢＲ）に代えて、耐久性に優れた発泡ウレタンゴムを、その水平断面が略コ字形となるようにシュー２３の外周面に沿わせて一体に焼き付け成形したものである。
また、その上下両端の稜線は湾曲して成形され、この防振ゴム２４をハウジング１１の収納凹部１５内に圧入する際の案内部２６となっている。
また、その背面には、収納凹部１５の背面に凹設された前記凹溝２２と嵌合する、上下方向に延びる凸部２７が凸設されている。
【００２１】
前記プレート１３は、やや厚手の鋼鈑を打ち抜き成形したもので、ボルト１４によってハウジング１１に螺着されると、シュー組立体１２をハウジング１１内に堅固に保持できるだけの強度および剛性を有している。
また、このプレート１３には、ガイドレール２を挿通するガイドレール挿通部２８が切り欠かれている。
さらに、このプレート１３には、このプレート１３をハウジング１１に固定するボルト１４を挿通するための左右一対のボルト孔２９が貫設されている。
【００２２】
本実施形態のガイドシュー１０を組み立てる際には、まず最初に、ハウジング１１の収納凹部１５内にシュー組立体１２を挿入する。
このとき、シュー組立体１２の防振ゴム２４を収納凹部１５に圧入することになるが、防振ゴム２４の挿入側の端部には丸みを帯びた案内部２６が設けられているため、容易に圧入することができる。
その後、ハウジング１１の上部に設けたプレート装着部２０にプレート１３を装着し、ボルト１４で固定すれば組み立てを完了する。
【００２３】
組み立てが完了すると、シュー２３の上面２３ａの一部がプレート１３に密着するとともに、その下面２３ｂの一部がハウジング１１のフランジ１６に密着する。
これにより、シュー２３はハウジング１１内において、上下方向には相対変位できないが、防振ゴム２４の撓みに伴って前後左右方向には相対変位することができる。
なお、防振ゴム２４の背面に凸設した上下方向に延びる凸部２７が、収納凹部１５の背面に凹設した上下方向に延びる凹溝２２と左右方向に係合しているので、防振ゴム２４の左右方向への過剰な変形を規制することができる。
【００２４】
組み立てを完了したガイドシュー１０を乗りかご３に固定する際には、エレベータの昇降路１に設けたガイドレール２の摺動部２ａに、ガイドシュー１０のシュー２３を外嵌する。
次いで、ガイドシュー１０をガイドレール２上で摺動させて乗りかご３側に変位させ、乗りかご３の所定位置にボルト３１で固定する。
【００２５】
乗りかご３の昇降に伴って摩耗したシュー２３を交換する際には、まず最初にボルト１４を緩めてプレート１３を取り除く。
次いで、シュー組立体１２に上向きの力を作用させることにより、シュー組立体１２をハウジング１１の収納凹部１５から上方に抜出すことができる。
このとき、図３に示したように、シュー２３の下面２３ｂの一部がハウジング１１のガイドレール挿通部１７内に露出している。
これにより、この部分に治工具を突き当てれば、シュー組立体１２を容易に上方に押動することができる。
【００２６】
シュー組立体１２をハウジング１１から抜出すと、乗りかご３は支えの一部を失って傾斜する。
このとき、ハウジング１１に設けたフランジ１６の先端がガイドレール２の摺動部２ａの表面に当接するので、乗りかご３の傾斜角度を最小限に抑えることができる。
これにより、新しいシュー組立体１２をハウジング１１の収納凹部１５内に挿入する作業をより一層容易に行うことができる。
【００２７】
新しいシュー組立体１２をハウジング１１の収納凹部１５内に挿入する際には、新しいシュー組立体１２のシュー２３をガイドレール２の摺動部２ａに外嵌する。
次いで、新しいシュー組立体１２をガイドレール２上で摺動させてハウジング１１側に変位させ、その防振ゴム２４をハウジング１１の収納凹部１５内に圧入する。
このとき、防振ゴム２４に案内部２６が設けられているとともに、乗りかご３の傾斜角度が最小限に抑えられているので、その圧入作業を容易に行うことができる。
なお、防振ゴム２４の圧入は、治工具等をシュー２３の上面２３ａに突き当てて下向きの荷重を負荷すれば良い。
そして、ハウジング１１内へのシュー組立体１２の組付が完了したならば、ボルト１４を用いてプレート１３をハウジング１１の上部に螺着する。
【００２８】
すなわち、本実施形態のエレベータのガイドシュー１０においては、シュー２３が摩耗したときにはシュー２３と防振ゴム２４とが一体となったシュー組立体１２のみを交換すれば良く、ハウジング１１の交換は不要であるから、シュー交換を安価に行うことができる。
【００２９】
また、古いシュー組立体１２を取り除く際には、プレート１３およびボルト１４をハウジング１１から取り外した後に、古いシュー組立体１２をガイドレール２に沿わせて上方に変位させれば良く、ハウジング１１を乗りかご３から取り外す必要がない。
同様に、新しいシュー組立体１２をハウジング１１に組み付ける際には、新しいシュー組立体１２をガイドレール２に外嵌させた状態でハウジング１１側に変位させて収納凹部１５内に収納した後、ボルト１４を用いてプレート１３をハウジング１１に組み付けてシュー組立体１２を固定すれば良い。
これにより、本実施形態のエレベータのガイドシュー１０においては、シューを交換する作業を容易に行うことができる。
【００３０】
以上、本発明に係るエレベータのガイドシューの一実施形態ついて詳しく説明したが、本発明は上述した実施形態によって限定されるものではなく、種々の変更が可能であることは言うまでもない。
例えば、上述した実施形態においては、シュー組立体１２の下側をハウジング１１に設けたフランジ１６によって保持しているが、上側と同様にプレートおよびボルトを用いて保持することもできる。
【００３１】
【発明の効果】
以上の説明から明らかなように、本発明のエレベータのガイドシューは、シューが摩耗したときに、シューと防振ゴムとが一体となったシュー組立体のみを交換すれば良く、ハウジングの交換は不要であるから、シュー交換を安価に行うことができる。
また、シュー組立体を交換する際には、固定手段をハウジングから取り外した後に新旧のシュー組立体をそれぞれ上下方向に変位させるだけで良いから、シュー交換作業を容易に行うことができる。
したがって、本発明によれば、摩耗したシューの交換を容易かつ安価に行えるエレベータのガイドシューを提供することができる。
【図面の簡単な説明】
【図１】本発明に係る一実施形態のエレベータのガイドシューを分解した状態で示す全体斜視図。
【図２】図１に示したガイドシューを組み立てた状態で示す全体斜視図。
【図３】図２に示したガイドシューの正面図。
【図４】図３中に示したIV−IV破断線に沿った水平断面図。
【図５】従来のエレベータのガイドシューの要部を断面で示す平面図。
【符号の説明】
１  昇降路
２  ガイドレール
３  乗りかご
４  ガイドシュー
５  ブラケット
６  コ字形断面部分
７  シュー
８  防振ゴム
９  ボルト
１０  ガイドシュー
１１  ハウジング
１２  シュー組立体
１３  プレート
１４  ボルト
１５  収納凹部
１６  フランジ
１７  ガイドレール挿通部
１８  後壁
１９  ボルト孔
２０  プレート取付部
２１  ねじ孔
２２  凹溝
２３  シュー
２４  防振ゴム
２６  案内部
２７  凸部
２８  ガイドレール挿通部
２９  ボルト孔
３１  ボルト
【図１】
0004303861.tif 000002
【図２】
0004303861.tif 000003
【図３】
0004303861.tif 000004
【図４】
0004303861.tif 000005
【図５】
0004303861.tif 000006